(57)【要約】【課題】  簡略化された操作によりプリント対象画像に所望のフレーム画像を形成する。【解決手段】  オペレータの設定指令をキーボード３２及びマウス３３を介して受け付ける設定指令受付部２１１と、設定指令を下に、オペレータによって設定された色、幅サイズを有するフレーム画像を作成するフレーム画像作成部２１２と、作成されたフレーム画像を記憶するフレーム画像記憶部２２１と、ユーザによって指定されたフレーム画像をフレーム画像記憶部２２１から読み出し、とプリント対象画像と合成する合成部２１３と、合成された画像を印画紙Ｐに露光する露光部１５とを備えている。【選択図】      図２
2005181873.tif 000002
【特許請求の範囲】
【請求項１】
プリント対象画像をプリント前にモニタ表示する表示手段を備え、オペレータの操作指令を基に、モニタ表示されたプリント対象画像を編集して出力画像とし、当該出力画像を印画紙にプリントする写真処理装置であって、
前記プリント対象画像の縁部に合成されるフレーム画像の設定指令を受け付ける設定指令受付手段と、
前記設定指令を基に、フレーム画像を作成するフレーム画像作成手段と、
作成されたフレーム画像を前記プリント対象画像に合成して、前記出力画像とする合成手段と、
前記フレーム画像作成手段によって作成されたフレーム画像を記憶するフレーム画像記憶手段とを備え、
前記設定指令受付手段は、フレーム画像の選択指令を受け付け、
前記合成手段は、前記選択指令によって指定されたフレーム画像を前記フレーム画像記憶手段から読み出し、前記プリント対象画像に合成することを特徴とする写真処理装置。
【請求項２】
前記設定指令受付手段は、フレーム画像の幅サイズを設定する幅サイズ設定手段を備え、
前記フレーム画像作成手段は、設定された幅サイズのフレーム画像を作成することを特徴とする請求項１記載の写真処理装置。
【請求項３】
前記幅サイズ設定手段は、前記表示手段に表示されたプリント対象画像上に、スライド可能なラインを表示し、当該ラインと前記プリント対象画像の外周との距離を、前記フレーム画像の幅サイズとして設定することを特徴とする請求項２記載の写真処理装置。
【請求項４】
モニタ表示されたプリント対象画像を、ユーザからの操作指令に応じた方向にスクロールさせるスクロール表示部を備え、
前記幅サイズ設定手段は、スクロール方向側のフレーム画像の幅サイズをそのスクロール分だけ減少させるとともに、スクロール方向と反対側のフレーム画像の幅サイズをそのスクロール量分だけ増大させることを特徴とする請求項３記載の写真処理装置。
【請求項５】
前記幅サイズ設定手段は、前記フレーム画像の上辺、下辺、左辺及び右辺のそれぞれの幅サイズを設定することを特徴とする請求項１〜４のいずれかに記載の写真処理装置。
【請求項６】
前記幅サイズ設定手段は、前記上辺、下辺、左辺及び右辺の少なくとも２つの辺の幅サイズをリンクさせて設定することを特徴とする請求項５記載の写真処理装置。
【請求項７】
前記設定指令受付手段は、前記フレーム画像の色を設定する色設定手段を備え、
前記フレーム画像作成手段は、設定された色をフレーム画像に付すことを特徴とする請求項１〜６のいずれかに記載の写真処理装置。
【請求項８】
前記色設定手段は、複数の基本色からなるカラーパレットを備え、前記基本色の中から少なくとも２色の基本色が選択されたときに、これらの色の混合色を前記フレーム画像に付す色として設定することを特徴とする請求項７記載の写真処理装置。
【発明の詳細な説明】
【技術分野】
【０００１】
本発明は、写真フィルムに形成された画像及びデジタルカメラから出力された画像を取り込み、印画紙にプリントする写真処理装置に関し、特に、取り込まれた画像にフレーム画像を形成する技術に関する。
【背景技術】
【０００２】
近年、写真処理技術の進歩により、白の外枠であるウィズボーダーを残すことなく写真をプリントすることが可能となったが、ユーザによっては、このウィズボーダーを残してほしいとの要望がある。この場合、単にウィズボーダーを形成するのではなく、このウィズボーダーにユーザの好みに応じた色や装飾が施された画像（フレーム画像）にしてほしいとの要望もある。ところで、近年の写真処理装置は、プリント前に、プリント対象画像を表示装置にプレビュー表示させ、ユーザの操作指令を受け付けて編集する機能を備えている。そして、かかる機能を利用すれば、フレーム画像をプリント対象画像に形成することも可能である。
【発明の開示】
【発明が解決しようとする課題】
【０００３】
しかしながら、上記機能を利用して、フレーム画像を形成する場合、例えばフォトショップ等の画像編集ソフトを用いてパソコン上で予めフレーム画像を作成し、作成したフレーム画像を写真処理装置で取り込み、当該画像をプリント対象画像に合成する作業を経て行なわれる。そして、画像編集ソフトウェアにおいて、ユーザは、フレーム画像の各辺の幅、フレーム画像を構成する各辺の長さ等のフレーム画像を作成するための種々の設定情報を入力することでフレーム画像を作成していくが、画像編集ソフトウェアには、フレーム画像の作成を支援する機能を備えていないため、通常の図形を作成するのと同様の作業によりフレーム画像を作成しなければならず、フレーム画像の作成作業が非常に煩雑になるという問題があった。
【０００４】
さらに、パソコン上で作成したフレーム画像を写真処理装置で取り込むという煩雑な作業を行なわなければならないという問題もあった。
【０００５】
本発明は、上記課題を解決するためになされたものであり、簡略化された操作により、プリント対象画像に所望のフレーム画像を形成することができる写真処理装置を提供することを目的とする。
【課題を解決するための手段】
【０００６】
上記課題を解決するために、本発明にかかる写真処理装置は、プリント対象画像をプリント前にモニタ表示する表示手段を備え、オペレータの操作指令を基に、モニタ表示されたプリント対象画像を編集して出力画像とし、当該出力画像を印画紙にプリントする写真処理装置であって、前記プリント対象画像の縁部に合成されるフレーム画像の設定指令を受け付ける設定指令受付手段と、前記設定指令を基に、フレーム画像を作成するフレーム画像作成手段と、作成されたフレーム画像を前記プリント対象画像に合成して、前記出力画像とする合成手段と前記フレーム画像作成手段によって作成されたフレーム画像を記憶するフレーム画像記憶手段とを備え、前記設定指令受付手段は、フレーム画像の選択指令を受け付け、前記合成手段は、前記選択指令によって指定されたフレーム画像を前記フレーム画像記憶手段から読み出し、前記プリント対象画像に合成することを特徴とする。
【０００７】
また、前記設定指令受付手段は、フレーム画像の幅サイズを設定する幅サイズ設定手段を備え、前記フレーム画像作成手段は、設定された幅サイズのフレーム画像を作成することが好ましい。
【０００８】
また、前記幅サイズ設定手段は、前記表示手段に表示されたプリント対象画像上に、スライド可能なラインを表示し、当該ラインと前記プリント対象画像の外周との距離を、前記フレーム画像の幅サイズとして設定することが好ましい。
【０００９】
また、モニタ表示されたプリント対象画像を、ユーザからの操作指令に応じた方向にスクロールさせるスクロール表示部を備え、前記幅サイズ設定手段は、スクロール方向側のフレーム画像の幅サイズをそのスクロール分だけ減少させるとともに、スクロール方向と反対側のフレーム画像の幅サイズをそのスクロール量分だけ増大させることが好ましい。
【００１０】
また、前記幅サイズ設定手段は、前記フレーム画像の上辺、下辺、左辺及び右辺のそれぞれの幅サイズを設定することが好ましい。
【００１１】
また、前記設定指令受付手段は、前記フレーム画像の色を設定する色設定手段を備え、前記フレーム画像作成手段は、設定された色をフレーム画像に付すことが好ましい。
【００１２】
また、前記色設定手段は、複数の基本色からなるカラーパレットを備え、前記基本色の中から少なくとも２色以上の基本色が選択されたときに、これらの色の混合色を前記フレーム画像に付す色として設定することが好ましい。
【発明の効果】
【００１３】
請求項１記載の発明によれば、ユーザによって入力された設定指令を基に、フレーム画像が作成されて記憶され、記憶されたフレーム画像の中からユーザによって選択されたフレーム画像が、プリント対象画像の縁部に合成され、プリントされる。そのため、パソコンにインストールされた画像編集ソフトを用いてフレーム画像を作成し、作成したフレーム画像を取り込むという作業を行わなくとも、記憶されたフレーム画像を選択するという簡略化された作業を行うだけで、フレーム画像をプリント対象画像に形成することができる。
【００１４】
請求項２記載の発明によれば、ユーザは、幅サイズを設定するという簡略化された作業を行うだけで、所望する幅サイズのフレーム画像を得ることができる。
【００１５】
請求項３記載の発明によれば、モニタ表示されたプリント対象画像上に表示されたラインをスライドすることで、フレーム画像の幅サイズを設定することができるため、幅サイズを視覚的に設定することが可能となり、より簡略化された作業で所望するフレーム画像を得ることができる。
【００１６】
請求項４記載の発明によれば、フレーム画像プリント対象画像とフレーム画像との境界位置を変更することなく、プリント対象画像をスクロールさせることができる。
【００１７】
請求項５記載の発明によれば、矩形状のフレーム画像の各辺の幅サイズを個別に設定することができる。
【００１８】
請求項６記載の発明によれば、リンクされたいずれかの一辺の幅サイズを設定することで、リンクされた複数の辺の幅サイズを同時、かつ、同一サイズに設定することができる。
【００１９】
請求項７記載の発明によれば、フレーム画像に所望の色を付すことができる。
【００２０】
請求項８記載の発明によれば、カラーパレットから色選択するという簡略化された作業により、フレーム画像に所望の色を付すことができる。
【発明を実施するための最良の形態】
【００２１】
図１は、本発明にかかる写真処理装置の概略構成を示している。写真処理装置は、装置全体を覆うハウジング１１と、それぞれ異なる又は同一サイズの印画紙Ｐを収容する２個のマガジン１２と、印画紙Ｐを所定サイズに裁断するカッター１３と、マガジン１２から印画紙Ｐを引き出し搬送する搬送部１４と、印画紙Ｐを露光する露光部１５と、露光された印画紙Ｐを現像する現像部１６と、現像された印画紙Ｐを乾燥する乾燥部１７と、乾燥された印画紙Ｐを排出する排出トレイ１８とを備える。
【００２２】
マガジン１２は、ハウジング１１の上面に配設され、収納されている印画紙Ｐの種類を検出するセンサ１２１と、マガジン１２内部に印画紙Ｐを巻き回し収容するローラ１２２とを備えている。なお、ハウジング１１及びマガジン１２内部は遮光されている。
【００２３】
搬送部１４は、印画紙Ｐを案内するガイド１４１と、印画紙Ｐを上下から挟持して回転することで搬送するローラ対１４２とを備える。ローラ対１４２は、駆動ローラ及び従動ローラからなり、印画紙Ｐの搬送経路上の複数箇所に配設されている。駆動ローラにはモータ（図略）が接続され、制御部２０の制御の下、モータからの駆動力を受けて回転する。
【００２４】
カッター１４は、固定刃と移動刃とからなり、移動刃は、モータ（図略）によって、制御部２０の制御の下、印画紙Ｐの画像形成面と直角方向にスライドされる。そして、両刃が噛み合うことで、印画紙Ｐは裁断される。
【００２５】
露光部１５は、それぞれ、Ｒ（赤）、Ｇ（緑）、Ｂ（青）のレーザビームを出力する３個のレーザ光源と、各色の画像データに応じて各色のレーザビームの強度を変調する変調部と、変調された各色のレーザビームを合波するミラーと、合波されたレーザビームを印画紙Ｐの搬送方向（副走査方向）と直交する方向（主走査方向）に走査するポリゴンミラーと、レーザビームの光路上の適所に配設された種々のレンズ及びミラーを含む光学系等を備える。現像部１６は、それぞれ現像液、定着液、漂白液及び安定化液を収容する複数のタンク１６１〜１６４を備え、印画紙Ｐを各液に順次浸漬して化学反応を起こすことで、印画紙Ｐに形成された潜像を顕在化させる。
【００２６】
制御部２０は、ＣＰＵ（中央処理装置）、ＲＯＭ（リードオンリーメモリ）、ＲＡＭ（ランダムアクセスメモリ）及び特定の処理を行なう専用の電子回路を備え、搬送部１４、カッター１４、露光部１５、乾燥部１７等の動作を制御する。制御部２０には、操作部３０が電気的に接続されている。
【００２７】
操作部３０は、写真処理装置の稼動状況等を表示する表示装置３１と、ユーザからの操作指令を受け付けるキーボード３２及びマウス３３とを備えている。表示装置３１は、ＣＲＴ（陰極線管）、液晶パネル又はプラズマディスプレイが採用される。
【００２８】
その他、写真処理装置は、写真フィルムに形成された画像を読み取るフィルムスキャナ、デジタルカメラによって撮影された画像が記録されたコンピュータ読み取り可能な記録媒体から画像を読み取る記録媒体駆動装置等を備えている。
【００２９】
マガジン１２に収納された印画紙Ｐは、搬送部１４によってマガジン１２下部から引き出され、カッター１４によって例えば１枚の写真サイズに裁断され、露光部１５によって潜像が形成され、現像部１６によって潜像が顕在化され、乾燥部１７によって乾燥され、排出トレイ１８に排出される。
【００３０】
図２は、写真処理装置の制御部２０の機能を説明するブロック図である。制御部２０は、画像編集部２１及び記憶部２２を機能的に備えている。これらの機能は、ＣＰＵがＲＯＭに記憶された制御プログラムを実行することで実現される。なお、図２においては、本発明に関係する機能ブロックのみを示し、その他、写真処理装置を制御するための機能ブロックは省略している。
【００３１】
記憶部２２は、フレーム画像作成部２１２によって作成されたフレーム画像を記憶するフレーム画像記憶部２２１と、フレーム画像に模様を付すために使用される画像であるテクスチャを記憶するテクスチャ記憶部２２２と、フィルムスキャナ４０及び記録媒体駆動装置５０によって読み取られた画像（プリント対象画像）を記憶する画像メモリ２２３とを備えている。フレーム画像記憶部２２１、テクスチャ記憶部２２２及び画像メモリ２２３は、それぞれ、複数枚の画像を記憶することが可能である。
【００３２】
画像編集部２１は、プリント対象画像を表示装置３１にモニタ表示させ、ユーザからの種々の操作指令を受け付けて、プリント対象画像を編集するものである。図２では、画像編集部２１が備える機能のうち、フレーム画像を形成するための機能ブロックのみを示している。なお、フレーム画像とは、矩形状のプリント対象画像の外周に沿って形成される枠状の画像である。
【００３３】
設定指令受付部２１１は、フレーム画像を作成するために、キーボード３２及びマウス３３を介して入力されるユーザからの種々の設定指令を受け付けるものであり、幅サイズ設定部２１１ａ、色設定部２１１ｂ、テクスチャ設定部２１１ｃ及びフレーム画像設定部２１１ｄを備えている。
【００３４】
幅サイズ設定部２１１ａは、ユーザからの設定指令に基づき、矩形状のフレーム画像の上下左右の各辺の幅サイズを設定する。色設定部２１１ｂは、ユーザからの設定指令に基づき、フレーム画像の色を設定する。テクスチャ設定部２１１ｃは、ユーザからの設定指令に基づき、テクスチャ記憶部２２２に記憶されているテクスチャの中から１つのテクスチャをフレーム画像に用いるテクスチャとして設定する。フレーム画像設定部２１１ｄは、ユーザからの設定情報に基づき、フレーム画像記憶部２２１に記憶されているフレーム画像の中から１のフレーム画像をプリント対象画像のフレーム画像として設定する。
【００３５】
フレーム画像作成部２１２は、設定指令受付部２１１によって設定された、種々の設定情報に基づいて、フレーム画像を作成し表示装置３１に表示する。また、フレーム画像作成部２１２は、作成したフレーム画像に対する登録指令を受け付けた場合、当該フレーム画像をフレーム画像記憶部２２１に記憶させる。ここで、フレーム画像作成部２１２は、プリント対象画像の縦及び横辺のサイズをフレーム画像の外周の縦辺及び横辺のサイズに設定してフレーム画像を作成する。
【００３６】
合成部２１３は、フレーム画像設定部２１１ｄによって設定されたフレーム画像を、対応するプリント対象画像に合成し、印画紙Ｐ上にプリントされる出力画像を作成する。ここで、合成部２１３は、フレーム画像のレイヤーの優先度を、プリント対象画像のレイヤーよりも高く設定しているため、フレーム画像とプリント対象画像とが重畳される箇所は、フレーム画像のみが表示され、プリント対象画像は表示されない。
【００３７】
スクロール表示部２１４は、ユーザからの方向指令を受け付け、後述するモニタパネルＰ２に表示された主画像Ｇ１を、指定された方向にスクロールさせる。
【００３８】
露光制御部２３は、露光部１５を制御することにより、合成部２１３によって合成された出力画像の潜像を印画紙Ｐ上に形成する。
【００３９】
次に、画像編集部２１の処理について説明する。図３は、フレーム画像が作成されフレーム画像記憶部２２１に記憶されるまでの処理を示したフローチャートである。本フローチャートを実行するにあたり、表示装置３１には、図４に示すオーダー画面が表示されているものとする。このオーダー画面は、ユーザが画像編集モードを設定することにより、画像編集部２１が、表示装置３１に表示する。オーダー画面において、画像編集部２１は、画面右上に表示された「フレーム」ボタンがクリックされると（ステップＳ１でＹＥＳ）、図５に示すフレーム選択画面を表示装置３１に表示する（ステップＳ２）。このフレーム選択画面には、矩形状のパネルＰ１が複数表示されている。画像編集部２１は、ユーザからの操作指令に基づき、各パネルＰ１に、フレーム画像又は装飾文字を登録する。
【００４０】
フレーム画像が登録されたパネルＰ１の上側のエリアには、登録されたフレーム画像のコマ画像が表示され、下側のエリアには、登録されたフレーム画像の名称が表示される。なお、装飾文字及びフレーム画像のいずれも登録されていないパネルＰ１は、上側のエリアに「未登録」と表示される。また、装飾文字が登録されたパネルＰ１には、下側のエリアのチェックボックスにチェックマークが付され、上側のエリアに装飾文字の概要を示す言葉が表示される。
【００４１】
例えば、装飾文字が登録されている２行目の最左列のパネルＰ１には、上側のエリアに、当該装飾文字の概要を示す「記念文字焼き」との言葉が表示されている。また、フレーム画像が登録された１行目の左から２列目に表示されたパネルＰ１には、下側のエリアに、当該フレーム画像の名称である「FA_A_01」が表示されている。
【００４２】
フレーム選択画面にはカーソルＫが表示され、ユーザが、キーボード３２の方向ボタンを押すと、画像編集部２１は、カーソルＫを上下左右の方向に移動させる。また、マウスポインタ（図略）があるパネルＰ１の位置に合わされ、クリックされると、画像編集部２１は、当該パネルＰ１上にカーソルＫを表示する。
【００４３】
ステップＳ３において、画像編集部２１は、「未登録」と表示されたパネルＰ１がクリックされると、表示装置３１に、図６に示すフレーム作成画面を表示する（ステップＳ４）。フレーム作成画面は、画面左側に表示され、フレーム画像ＦＧをモニタ表示するモニタパネルＰ２と、右上段部に表示され、フレーム画像ＦＧの外周の縦辺及び横辺のサイズを示す「サイズ」欄Ｒ１と、サイズ欄Ｒ１の下側に表示され、フレーム画像を構成する上下左右のそれぞれの辺の幅サイズを設定する「設定」欄Ｒ２と、「設定」欄Ｒ２の下側に表示され、フレーム画像の色を設定する「色の設定」タブＲ３と、「色の設定」タブＲ３の右側に表示され、フレーム画像に付するグラデーション表示を設定するための「グラデーション」タブＲ４と、「グラデーション」タブＲ４の右側に表示され、フレーム画像に付する模様パターンを設定するための「パターン」タブＲ５とを備えている。
【００４４】
モニタパネルＰ２に表示された中抜きの枠状の画像がフレーム画像ＦＧである。モニタパネルＰ２の中抜き部分には、プリント対象画像が表示される。以下、中抜き部分に表示されるプリント対象画像のことを、主画像Ｇ１と称する。図６の例では、フレーム画像ＦＧの外周の縦辺のサイズが８９．０ｍｍであり、外周の横辺のサイズが１２７．０ｍｍであるため、「サイズ」欄Ｒ１には、８９．０×１２７．０と表示されている。以後、フレーム画像ＦＧの外周の縦辺のサイズのことを、「画像の高さＨ」と称し、フレーム画像ＦＧの外周の横辺のサイズのことを、「画像の幅Ｗ」と称する。
【００４５】
「設定」欄Ｒ２は、フレーム画像ＦＧの上辺Ｈ１の幅Ｗ１のサイズを設定する「上側」欄と、下辺Ｈ２の幅Ｗ２のサイズを設定する「下側」欄と、左辺Ｈ３の幅Ｗ３のサイズを設定する「左側」欄と、左辺Ｈ３の幅Ｗ４のサイズを設定する「右側」欄とを備えている。
【００４６】
また、モニタパネルＰ２において、フレーム画像ＦＧの内周にマウスポインタを合わせると、幅のサイズを設定するための設定ラインＬ１が表示され、設定ラインＬ１をスライドさせることにより、フレーム画像の幅サイズを設定することができる。この場合、設定ラインＬ１とフレーム画像の外周との距離が「設定」欄に表示される。例えば、図６においては、上辺Ｈ１に対応する設定ラインＬ１が表示されており、設定ラインＬ１と、フレーム画像ＦＧの上辺外周との距離が「上側」欄に表示される。
【００４７】
また、ユーザによって、「グラデーション」タブＲ４がクリックされると、フレーム画像をグラデーションにより装飾するための操作画面が表示され、ユーザは、かかる操作画面を操作することで、フレーム画像をグラデーション表示することができる。また、ユーザによって、「パターン」タブＲ５がクリックされると、格子模様、水玉模様等、フレーム画像を装飾するために予め用意された種々の模様パターンを選択するための操作画面が表示され、ユーザは、かかる操作画面を操作することにより、フレーム画像に模様パターンを付すことができる。
【００４８】
ユーザは、このフレーム作成画面を介して、種々の設定情報を入力することで、新規のフレーム画像ＦＧを作成することができる。
【００４９】
なお、図５に示すフレーム選択画面において、フレーム画像ＦＧが登録されたパネルＰ１にカーソルＫが移動され、「フレーム作成」ボタンがクリックされた場合、図６に示すフレーム作成画面のモニタパネルＰ２には、登録されているフレーム画像が表示される。そして、かかる画面を介して種々の設定情報を入力することで、既に作成されたフレーム画像ＦＧを編集することができる。
【００５０】
また、図５に示すフレーム選択画面において、「未登録」又は装飾文字が登録されているパネルＰ１上にカーソルＫが移動され、「文字設定」ボタンがクリックされると、画像編集部２１は、文字設定画面（図略）を表示装置３１に表示する。そして、ユーザは、かかる画面を介して種々の設定情報を入力することで、装飾文字の作成及び編集を行なうことができる。
【００５１】
さらに、図５に示すフレーム選択画面において、フレーム画像ＦＧ又は装飾文字が登録されたパネルＰ１にカーソルＫが移動され、下欄に表示された「削除」ボタンがクリックされると、画像編集部２１は、当該パネルＰ１に登録されている内容を削除する。
【００５２】
ステップＳ５において、設定指令受付部２１１は、図６に示すフレーム作成画面を介して入力された種々の設定情報を受け付け、フレーム画像作成部２１２は、受け付けられた設定情報を基に、フレーム画像を作成する。ステップＳ５の処理の詳細については、後述する。
【００５３】
図６に示すフレーム作成画面において、画面下部に表示された「ＹＥＳ・ＯＫ」ボタンがクリックされると（ステップＳ６）、フレーム画像作成部２１２は、作成したフレーム画像をフレーム画像記憶部２２１に記憶する（ステップ７）。これにより、フレーム画像が登録される。
【００５４】
図７は、図３に示すフレーム作成処理（ステップＳ５）における色設定処理を示したフローチャートである。まず、図６に示すフレーム作成画面において、「色の設定」タブＲ３の「変更」ボタンがクリックされると（ステップＳ１１でＹＥＳ）、画像編集部２１は、図８に示す色の設定画面を表示装置３１に表示する（ステップＳ１２）。色設定部２１１ｂは、この設定画面を介してユーザからの色の設定指令を受け付け（ステップＳ１３）、設定された色をフレーム画像に付す色として設定する（ステップＳ１４）。
【００５５】
図６に示す色の設定画面は、画面左側に表示され、種々の基本色が表示された「基本色」欄と、「基本色」欄の下部に表示され、作成した色を表示する「作成した色」欄と、画面右側に表示され、色合い及び色の鮮やかさを設定するための色表示パネルＰ３と、色表示パネルＰ３の右側に表示され、色の明るさ（明度）を設定するためバーＢ１とを備えている。バーＢ１は、下部を原点とし、上方向に明度が０〜２５５の範囲で設定され、バーＢ１右側に表示されたスライダＳＬを上下方向に移動することで、明度を設定することができ、設定した明度は、バーＢ１の下側に表示された「赤」、「緑」、「青」の各欄に、明度を構成する赤、緑、青の各色成分で数値表示される。色表示パネルＰ３は、左下の頂点を原点とし、横方向に色合い（色相）、縦方向に色の鮮やかさ（彩度）がそれぞれ０〜２５５の範囲で設定され、バーＢ１によって設定された明度における、色相及び彩度を有する色が色表示パネルＰ３上の各座標に表示される。色表示パネルＰ３には、カーソルＫが表示され、カーソルＫの中心の座標の色が、色表示パネルＰ３下側の色表示欄ＣＲに表示される。この場合、カーソルＫによって選択された色の色相、彩度及び明度が、それぞれ、色表示欄ＣＲの左側に表示された、「色合い」、「鮮やかさ」及び「明るさ」の各欄に表示される。なお、「色合い」、「鮮やかさ」、「明るさ」、「赤」、「緑」及び「青」の各欄に直接数値を入力することで、所望する色を色表示欄ＣＲに表示することも可能である。
【００５６】
所望する色が色表示欄ＣＲに表示され、色表示欄ＣＲの左側に表示された「色の作成／変更」ボタンがクリックされると、色設定部２１１ｂは、当該色をフレーム画像ＦＧに付す色として設定する。設定された色は、「作成した色」欄のセルＳＥに表示される。
【００５７】
また、ユーザによって、「基本色」欄に表示された基本色のうちいずれかの基本色にマウスポインタを合わされ、クリックされると、当該基本色が色表示欄ＣＲに表示され、かかる色がフレーム画像ＦＧに付す色として設定される。
【００５８】
図９〜図１３は、フレーム画像の作成処理（ステップＳ５）において、幅サイズが設定される処理を示すフローチャートである。幅サイズの設定は、上辺Ｈ１、下辺Ｈ２、左辺Ｈ３及び右辺Ｈ４をそれぞれ個別に設定する個別設定モードと、上辺Ｈ１及び下辺Ｈ２をリンクさせ、同時に設定する又は、左辺Ｈ３及び右辺Ｈ４をリンクさせて、同時に設定するリンク設定モードとの２つのモードを有している。
【００５９】
図９は、上辺Ｈ１及び下辺Ｈ２がリンクされたリンク設定モードにおける処理のフローチャートを示している。まず、ステップＳ２１において、画像編集部２１は、ユーザによる上辺Ｈ１及び下辺Ｈ２のリンク指令を受け付けると（ステップＳ２１）、上辺Ｈ１に対する入力のみを受け付け、下辺Ｈ２に対する入力を受け付けず、「下側」欄の値を「上側」欄の値と同一の値に設定する（ステップＳ２２）。このリンク指令は、図６に示すフレーム作成画面の「上側」及び「下側」欄の右側であって、両欄を結ぶコの字状の直線の中央部に表示されたリンクボタンＢ２をクリックすることによって行なわれる。そして、リンクボタンＢ２がクリックされると、リンクボタンＢ２は、例えば、凹状に表示され、「下側」欄は網掛け表示され、当該欄への数値入力が禁止される。
【００６０】
設定ラインＬ１を用いて設定する場合は、上辺Ｈ１を設定するための設定ラインＬ１に加えて下辺Ｈ２を設定するための設定ラインＬ１も同時に表示され、上辺Ｈ１がスライドされると、それに応じて、下辺Ｈ２を設定するための設定ラインＬ１、上辺Ｈ１の内周及び下辺Ｈ２の内周が、上辺Ｈ１の幅Ｗ１及び下辺Ｈ２の幅Ｗ２が等しいサイズとなるように、連動して、スライドする。このとき、「上側」及び「下側」の各欄の数値も連動して変化する。
【００６１】
ステップＳ２３において、幅サイズ設定部２１１ａは、「上側」欄の入力された値を２倍した値が画像の高さＨ以上であるか否かを判定し、画像の高さＨ以下の場合（ステップＳ２３でＹＥＳ）、すなわち、上辺Ｈ１及び下辺Ｈ２の幅の合計であるＷ１＋Ｗ２が画像の高さＨ以下であり、上辺Ｈ１及び下辺Ｈ２がプリント対象画像をはみ出ない場合、幅サイズ設定部２１１ａは、「上側」欄に入力された値を上辺Ｈ１及び下辺Ｈ２の幅Ｗ１及び幅Ｗ２のサイズとして設定する。一方、「上側」欄に入力された値を２倍した値が、画像の高さＨよりも大きい場合（ステップＳ２３でＮＯ）、幅サイズ設定部２１１ａは、上辺Ｈ１の幅Ｗ１と下辺Ｈ２の幅Ｗ２とを、それぞれ、画像の高さＨの１／２の大きさに設定する（ステップＳ２４）。
【００６２】
ステップＳ２５において、フレーム画像作成部２１２は、幅サイズ設定部２１１ａによって設定された幅サイズを有するフレーム画像ＦＧを作成し、モニタパネルＰ２に表示する。
【００６３】
図１０は、左辺Ｈ３及び右辺Ｈ４がリンクされたリンク設定モードにおける処理のフローチャートを示している。まず、ステップＳ３１において、画像編集部２１は、ユーザによる左辺Ｈ３及び右辺Ｈ４のリンク指令を受け付けると（ステップＳ３１でＹＥＳ）、左辺Ｈ３に対する入力のみを受け付け、右辺Ｈ４に対する入力を受け付けない（ステップＳ３２）。このリンク指令は、図６に示すフレーム作成画面の「左側」及び「右側」欄の右側であって、両欄を結ぶコの字状の直線の中央部に表示されたリンクボタンＢ３をクリックすることによって行なわれる。そして、リンクボタンＢ３がクリックされると、リンクボタンＢ３は、凹状に表示され、「右側」欄は網掛け表示され、当該欄への数値入力が禁止される。
【００６４】
ステップＳ３３において、幅サイズ設定部２１１ａは、「左側」欄の入力された値を２倍した値が画像の幅Ｗ以下であるか否かを判定し、画像の幅Ｗ以下の場合（ステップＳ３３でＹＥＳ）、すなわち、左辺Ｈ３及び右辺Ｈ４の幅の合計であるＷ３＋Ｗ４が画像の幅Ｗ以下であり、左辺Ｈ３及び右辺Ｈ４がプリント対象画像をはみ出ない場合、幅サイズ設定部２１１ａは、「左側」欄に入力された値を左辺Ｈ３及び右辺Ｈ４の幅Ｗ３及び幅Ｗ４のサイズとして設定する。一方、「左側」欄に入力された値を２倍した値が、画像の幅Ｗよりも大きい場合（ステップＳ３３でＮＯ）、幅サイズ設定部２１１ａは、左辺Ｈ３の幅Ｗ３と右辺Ｈ４の幅Ｗ４とを、それぞれ、画像の幅Ｗの１／２の大きさに設定する（ステップＳ３４）。
【００６５】
ステップＳ３５において、フレーム画像作成部２１２は、幅サイズ設定部２１１ａによって設定された幅サイズを有するフレーム画像ＦＧをモニタパネルＰ２に表示する。
【００６６】
図１１は、個別設定モードにおいて、上辺Ｈ１及び下辺Ｈ２の幅サイズを設定する処理を示すフローチャートである。まず、ステップＳ４１において、幅サイズ設定部２１１ａは、上辺Ｈ１又は下辺Ｈ２の幅サイズの設定指令を受け付ける。上辺Ｈ１又は下辺Ｈ２への設定指令は、図６に示すフレーム作成画面において、「上側」、「下側」の各欄に数値を入力することによって行なわれる。この場合、設定ラインＬ１を用いて数値を入力してもよい。
【００６７】
ステップＳ４２において、幅サイズ設定部２１１ａは、「上側」欄の値と「下側」欄の値との和が、画像の高さＨ以下の場合（ステップＳ４２でＹＥＳ）、「上側」欄の値を上辺の幅Ｗ１のサイズとして設定し、「下側」欄の値を下辺の幅Ｗ２のサイズとして設定する。一方、「上側」及び「下側」の各欄の値の和が、画像の高さＨよりも大きい場合（ステップＳ４２でＮＯ）、すなわち、フレーム画像ＦＧがプリント対象画像をはみ出る場合、幅サイズ設定部２１１ａは、「上側」欄又は「下側」欄の値のうち小さい方の値を、フレーム画像ＦＧの上辺Ｈ１及び下辺Ｈ２の幅Ｗ１及びＷ２として設定する丸め込み処理を実行し（ステップＳ４３）、フレーム画像ＦＧがプリント対象画像からはみ出ることを防止する。
【００６８】
ステップＳ４４において、フレーム画像作成部２１２は、幅サイズ設定部２１１ａによって設定された幅サイズを有するフレーム画像ＦＧを作成し、モニタパネルＰ２に表示する。
【００６９】
図１２は、個別設定モードにおいて、左辺Ｈ３及び右辺Ｈ４の幅サイズを設定する処理を示すフローチャートである。まず、ステップＳ５１において、幅サイズ設定部２１１ａは、左辺Ｈ３又は右辺Ｈ４の幅サイズの設定指令を受け付ける。左辺Ｈ３又は右辺Ｈ４への設定指令は、図６に示すフレーム作成画面において、「左側」、「右側」の各欄に数値を入力することによって行なわれる。この場合、設定ラインＬ１を用いて数値を入力してもよい。
【００７０】
ステップＳ５２において、幅サイズ設定部２１１ａは、「左側」欄の値と「右側」欄の値との和が、画像の幅Ｗ以下の場合（ステップＳ５２でＹＥＳ）、「左側」欄の値を左辺Ｈ３の幅サイズとして設定し、「右側」欄の値を右辺Ｈ４の幅サイズとして設定する。一方、「左側」及び「右側」の各欄の値の和が、画像の幅Ｗよりも大きい場合（ステップＳ５２でＮＯ）、すなわち、フレーム画像ＦＧがプリント対象画像をはみ出る場合、幅サイズ設定部２１１ａは、「右側」欄又は「左側」欄の値のうち小さい方の値を、フレーム画像ＦＧの左辺Ｈ３及び右辺Ｈ４の幅サイズとして設定する丸め込み処理を実行し（ステップＳ５３）、フレーム画像ＦＧがプリント対象画像からはみ出ることを防止する。
【００７１】
ステップＳ５４において、フレーム画像作成部２１２は、幅サイズ設定部２１１ａによって設定された幅サイズを有するフレーム画像ＦＧを作成し、モニタパネルＰ２に表示する。
【００７２】
図１３は、モニタパネルＰ２に表示された主画像Ｇ１をスクロールさせるときのフローチャートを示している。ステップＳ６１において、マウスポインタが図６に示す主画像Ｇ１の領域に置かれ、ドラックされることで、主画像Ｇ１のスクロール指令を受け付けると（ステップＳ６１でＹＥＳ）、スクロール表示部２１は、ドラッグされた方向に主画像Ｇ１をスクロールさせる。
【００７３】
ステップＳ６２において、フレーム画像作成部２１２は、スクロール方向側に位置するフレーム画像ＦＧの辺の幅サイズを、主画像Ｇ１の移動量分減少させるとともに、スクロール方向と反対側に位置するフレーム画像ＦＧの幅サイズを増大させる。例えば、主画像Ｇ１が右方向にスクロールされた場合、フレーム画像作成部２１２は、右辺Ｈ４の幅サイズを減少させるとともに、左辺Ｈ３の幅サイズを増大させる。ここで、主画像Ｇ１が斜め方向にスクロールされた場合、フレーム画像作成部２１２は、主画像Ｇ１の移動量の横方成分の値に応じて、左辺Ｈ３及び右辺Ｈ４の幅サイズを変化させるとともに、移動量の縦方向成分の値に応じて、上辺Ｈ１及び下辺Ｈ２の幅サイズを変化させる。なお、主画像Ｇ１をスクロールした結果、スクロール方向側の辺の幅寸法が０となった場合、当該方向への主画像Ｇ１のスクロールを停止する。
【００７４】
図１４は、フレーム画像ＦＧの幅サイズの設定を図６に示す設定ラインＬ１を用いて行なう場合の処理を説明する。ステップＳ７１において、主画像Ｇ１とフレーム画像ＦＧとの境界部分がクリックされると（ステップＳ７１でＹＥＳ）、画像編集部２１は、クリックした箇所に位置する辺の内周に沿って設定ラインＬ１を表示する（ステップＳ７２）。
【００７５】
ステップＳ７３において、設定ラインＬ１がスライドされると（ステップＳ７３でＹＥＳ）、画像編集部２１は、設定ラインＬ１のスライド量に連動させて、辺の幅サイズを変動表示させる（ステップＳ７４）。
【００７６】
図１５に示すフローチャートにしたがって、既に作成されたフレーム画像ＦＧをプリント対象画像のフレーム画像ＦＧとして設定し、プリントするまでの処理について説明する。この処理を実行する前に、図３に示すフローチャートのステップＳ２の処理が実行され、表示装置３１に図５に示すフレーム選択画面が表示されているものとする。
【００７７】
ステップＳ８１において、フレーム選択画面で、フレーム画像ＦＧが登録されているパネルＰ１が選択され、作成ボタンがクリックされると（ステップＳ８１でＹＥＳ）、フレーム画像設定部２１１ｄは、当該パネルＰ１に登録されたフレーム画像ＦＧを、プリント対象画像のフレーム画像ＦＧとして設定する（ステップＳ８２）。
【００７８】
ステップＳ８３において、合成部２１３は、設定されたフレーム画像ＦＧをフレーム画像記憶部２２１から読み出すとともに、対応するプリント対象画像を画像メモリ２２３から読み出し、両画像を合成し出力画像を生成する。
【００７９】
ステップＳ８４において、露光制御部２３は、露光部１５を制御し、出力画像を印画紙Ｐに露光する。露光された印画紙Ｐは、搬送部１４により搬送され、現像部１６により現像処理され、乾燥部１７により乾燥され、排出トレイ１８に排出される。
【００８０】
以上説明したように、本写真処理装置によれば、写真処理装置上で直接、フレーム画像ＦＧの作成を行い、作成したフレーム画像ＦＧをフレーム画像記憶部２２１に記憶させる。そして、ユーザによって指定されたフレーム画像をフレーム画像記憶部２２１から読み出し、プリント対象画像に合成するため、作成したフレーム画像を選択して、従来のように、パソコン上で作成されたフレーム画像を取り込むことなく、簡略化された作業によりプリント対象画像にフレーム画像を形成することができる。
【００８１】
なお、本発明は、以下の態様を採ることができる。
【００８２】
（１）上記実施形態では、上辺Ｈ１と下辺Ｈ２とをリンクさせ、左辺Ｈ３と右辺Ｈ４とをリンクさせる態様を示したが、これに限定されず、４辺全てをリンクさせてもよいし、いずれか３辺をリンクさせてもよい。
【００８３】
（２）上記実施形態では、画面の高さＨが上辺Ｈ１及び下辺Ｈ２の幅サイズの和以上の場合、丸め込み処理を行う態様を示したが、これに限定されず、上辺Ｈ１及び下辺Ｈ２の幅サイズの上限値を設け、主画像Ｇ１がフレーム画像によって埋もれてしまうことを防止してもよい（左辺Ｈ３及び右辺Ｈ４も同様）。
【００８４】
（３）上記実施形態では示さなかったが、幅サイズが設定されたフレーム画像にテクスチャを付しても良い。この場合、画像編集部２１は、テクスチャ記憶部２２２に記憶されているテクスチャを表示装置３１に一覧表示し、ユーザからの選択指令を受け付け、指定されたテクスチャをフレーム画像に付せばよい。これにより、フレーム画像に対して容易に模様を付すことができる。
【００８５】
（４）上記実施形態で示したフレーム画像記憶部２２１は、本写真処理装置を用いてユーザによって作成されたフレーム画像だけでなく、本写真処理装置のメーカ等によって提供されたフレーム画像を予め記憶しいてもよいし、パソコン等を用いて作成され、取り込んだフレーム画像を記憶してもよい。
【００８６】
（５）上記実施形態では、露光部１５としてレーザ方式のものを採用したが、これに限定されず、液晶シャッタアレイ方式、発光ダイオード方式、真空蛍光表示管方式のものを採用してもよい。
【図面の簡単な説明】
【００８７】
【図１】本発明にかかる写真処理装置の概略構成を示している。
【図２】写真処理装置の制御部の機能を説明するブロック図である。
【図３】フレーム画像が作成されフレーム画像記憶部に記憶されるまでの処理を示したフローチャートである。
【図４】オーダー画面の画面図である。
【図５】フレーム選択画面の画面図である。
【図６】フレーム作成画面の画面図である。
【図７】色設定処理を示したフローチャートである。
【図８】色の設定画面の画面図である。
【図９】上辺及び下辺がリンクされたリンク設定モードにおける処理のフローチャートを示している。
【図１０】左辺及び右辺がリンクされたリンク設定モードにおける処理のフローチャートを示している。
【図１１】個別設定モードにおいて、上辺及び下辺の幅サイズを設定する処理を示すフローチャートである。
【図１２】個別設定モードにおいて、左辺及び右辺の幅サイズを設定する処理を示すフローチャートである。
【図１３】モニタパネルに表示された本画像をスクロールさせるときのフローチャートを示している。
【図１４】フレーム画像の幅サイズを設定ラインを用いて行なう場合の処理示すフローチャートである。
【図１５】既に作成されたフレーム画像をプリント対象画像のフレーム画像として設定し、プリントするまでの処理を示したフローチャートである。
【符号の説明】
【００８８】
２０  制御部
２１  画像編集部
２２  記憶部
２３  露光制御部
３１  表示装置
３２  キーボード
３３  マウス
４０  フィルムスキャナ
５０  記録媒体駆動装置
２１１ａ  幅サイズ設定部
２１１ｂ  色設定部
２１１ｃ  テクスチャ設定部
２１１ｄ  フレーム画像設定部
２１１  設定指令受付部
２１２  フレーム画像作成部
２１３  合成部
２２１  フレーム画像記憶部
２２２  テクスチャ記憶部
２２３  画像メモリ
【図１】
2005181873.tif 000003
【図２】
2005181873.tif 000004
【図３】
2005181873.tif 000005
【図４】
2005181873.tif 000006
【図５】
2005181873.tif 000007
【図６】
2005181873.tif 000008
【図７】
2005181873.tif 000009
【図８】
2005181873.tif 000010
【図９】
2005181873.tif 000011
【図１０】
2005181873.tif 000012
【図１１】
2005181873.tif 000013
【図１２】
2005181873.tif 000014
【図１３】
2005181873.tif 000015
【図１４】
2005181873.tif 000016
【図１５】
2005181873.tif 000017